(57)【要約】【課題】    缶容器でありながらジョッキのような全開口と口唇を傷つける恐れのない安全な飲み口を備える加圧発泡性飲料用缶容器を実現する。【解決手段】飲み口の外観形状を保持しながら、口唇にとって安全な断面を確保するために、缶容器材料上端を内側又は外側に複数回折り込み押圧、成形し、容器胴部にはくびれを設け、利用者の簡単な操作によって加圧発泡性飲料内圧解放のための開口部を開口する操作具を有する圧力隔壁を緩挿し、くびれ部の肩に該圧力隔壁を加圧発泡性飲料自身が有する圧力によって押圧して加圧発泡性飲料を密封、蓄蔵し、利用者による開口操作によって内圧が解放され、利用者によって圧力隔壁に対し下方への圧力が加えられると、微小突起を擦過して、さらに自重によって容器底部に沈下することにより全開口の飲み口を有する加圧発泡性飲料用缶容器が実現する。【選択図】  図１
2005059943.tif 000002
【特許請求の範囲】
【請求項１】
全開口飲み口部と、
加圧発泡性飲料を密封、蓄蔵する胴部と、
前記全開口飲み口部と前記胴部の中間にあるくびれ部と、
底面に接合、固着した底板と、
内圧解放口とその開口を操作する開口操作取っ手と中空円錐台状断面を有する圧力遮蔽板と、
前記圧力遮蔽板とくびれ部の肩の間隙にあって、肩部又は圧力遮蔽板に接着されたシール材と、
胴部にあって内側への複数の微小突起と、
を備える全開口飲み口を実現する加圧発泡性飲料用缶容器。
【請求項２】
請求項１記載の全開口飲み口を実現する加圧発泡性飲料用缶容器であって、前記全開口飲み口部は、開口部の変形と口唇の裂傷を防止するために、容器材の端部を外側又は内側に複数回折込み押圧、成形された縁を有するものであることを特徴とする全開口飲み口を実現する加圧発泡性飲料用缶容器。
【請求項３】
請求項１記載の全開口飲み口を実現する発泡飲料用缶容器であって、内圧解放口とその開口を操作する開口操作取っ手と中空円錐台状断面を有する圧力遮蔽板は、胴部に充填された内容物、すなわち、加圧発泡性飲料が発する内圧によって、くびれ部の肩に押圧され、開口操作取っ手の操作による内圧解放口の開口と、開口に伴う内圧の解放によって底部に沈下するものであることを特徴とする全開口飲み口を実現する加圧発泡性飲料用缶容器。
【請求項４】
請求項１記載の全開口飲み口を実現する発泡飲料用缶容器であって、圧力遮蔽板とくびれ部の肩の間隙にあって、肩部又は圧力遮蔽板に接着されたシール材は、くびれ部の肩と内圧によってくびれ部の肩に押圧されている圧力遮蔽板との気密性を保持するものであることを特徴とする全開口飲み口を実現する加圧発泡性飲料用缶容器。
【請求項５】
請求項１記載の全開口飲み口を実現する発泡飲料用缶容器であって、胴部にあって内側へ向かう複数の微小突起は、圧力遮蔽板を一定の姿勢に保持し、内容物の充填工程中における脱落を防止するために、圧力遮蔽板の底面下部に相当する胴部に設けられたものであることを特徴とする全開口飲み口を実現する加圧発泡性飲料用缶容器。
【発明の詳細な説明】
【技術分野】
【０００１】  缶容器に関する。
【背景技術】
【０００２】  現在、市販されている加圧発泡性飲料を充填した缶、例えば缶ビールにおいては、いわゆるプルトップと呼ばれる方式によって狭小な飲み口が提供されているにすぎず、ジョッキを用いた時のように豪快な飲み方は不可能である。【０００３】  また、全開口にわたるプルトップ方式では、その開口部が鋭利になり、口唇の裂傷をまねく恐れのある飲み口となる。
【特許文献１】特開２００２−１０４４２５号公報
【発明の開示】
【発明が解決しようとする課題】
【０００４】  缶でありながらジョッキのような全開口と口唇を傷つける恐れのない安全な飲み口を備える加圧発泡性飲料用缶容器を実現する。
【課題を解決しようとする手段】
【０００５】  請求項１記載の発明は、全開口飲み口部と、
加圧発泡性飲料を密封、蓄蔵する胴部と、
前記全開口飲み口部と前記胴部の中間にあるくびれ部と、
底面に接合、固着した底板と、
内圧解放口とその開口を操作する開口操作取っ手と中空円錐台状断面を有する圧力遮蔽板と、
前記圧力遮蔽板とくびれ部の肩の間隙にあって、肩部又は圧力遮蔽板に接着されたシール材と、
胴部にあって内側へ向かう複数の微小突起と、
を備えるよう構成される。
【０００６】  請求項２記載の発明は、全開口飲み口部は、開口部の変形と口唇の裂傷を防止するために、容器材の端部を外側又は内側に複数回折込み押圧、成形されたものであるよう構成される。
【０００７】  請求項３記載の発明は、内圧解放口とその開口を操作する開口操作取っ手と中空円錐台状断面を有する圧力遮蔽板は、胴部に充填された内容物、すなわち、加圧発泡性飲料が発する内圧によって、くびれ部の肩に押圧され、開口操作取っ手の操作による内圧解放口の開口と、開口に伴う内圧の解放によって底部に沈下するものであるよう構成される。
【０００８】  請求項４記載の発明は、圧力遮蔽板とくびれ部の肩の間隙にあって、肩部又は圧力遮蔽板に接着されたシール材は、くびれ部の肩と内圧によってくびれ部の肩に押圧されている圧力遮蔽板との気密性を保持するものであるよう構成される。
【０００９】  請求項５記載の発明は、胴部にあって内側へ向かう複数の微小突起は、圧力遮蔽板を一定の姿勢に保持し、内容物の充填工程中における脱落を防止するために、圧力遮蔽板の底面下部に相当する胴部に設けられたものであるよう構成される。
【発明の効果】
【００１０】  本発明を従来の加圧発泡性飲料用缶容器と比較すると、全開口でありながら、口唇が接触する飲み口部には、既存技術となっている、いわゆるプルトップを使用していないため、安全にかつ、いっきに内容物を飲用することができる容器を実現する。
【発明を実施するための最良の形態】
【００１１】  飲み口の外観形状を保持しながら、口唇にとって安全な断面を確保するために、缶容器材料上端を内側又は外側に複数回折り込み押圧、成形し、容器胴部にはくびれを設け、利用者の簡単な操作によって加圧発泡性飲料内圧解放のための開口部を開口する操作具を有する圧力隔壁を緩挿し、くびれ部の肩に該圧力隔壁を加圧発泡性飲料自身が有する圧力によって押圧して加圧発泡性飲料を密封、蓄蔵し、利用者による開口操作によって内圧が解放され、利用者によって圧力隔壁に対し下方への圧力が加えられると、微小突起を擦過して、さらに自重によって容器底部に沈下することにより全開口の飲み口を有する加圧発泡性飲料用缶容器が実現する。
【実施例１】
【００１２】  以下、本発明の実施の形態を図にもとづいて説明する。
図１は本発明容器の実施例の断面図であって、本体は胴部１、くびれ部２、内容物蓄蔵部３、底板４からなり、胴部１の中には上方が開口している円錐台状の圧力隔壁５が、適度な間隙を保持しながら換挿されており、該圧力隔壁には固着具６によって固着された開口操作具８によって開口する開口部７が設けられており、本体容器上端は外側あるいは内側に複数回折り曲げ、押圧、成形した飲み口縁９、底板の接合部１０、シール材１１、また胴部には圧力隔壁を一定の姿勢に保持する複数（３個所以上が望ましい）の微小突起１２を備えている。円錐台状の圧力隔壁５は図７の如く下方を開口してもよい。圧力隔壁の開口部には既存技術となっている、いわゆるプルトップを採用してもよい。【００１３】  内容物の充填工程の前に圧力隔壁５をくびれ部の肩と微小突起１２間に挿入して、内容物の充填後、底板４を封印、嵌合する。圧力隔壁５は内容物の圧力によりくびれ部の肩に押圧されるが、同時にシール材１１も押圧することによってさらに密封性が確保される。
また、圧力隔壁５は缶容器の変形を防止して密封性を確保し、自重を増して沈下性を向上させるためには、本体胴部より厚肉の材料を使用するほうが望ましい。【００１４】  飲み口縁の口径Ａと底部の口径Ｂは製品輸送時における積み重ねを考慮してＡ＜Ｂの関係にあることが望ましい。【００１５】  飲み口部２には図６の如く防塵カバー１３、例えば、適度な柔軟性を有するプラスチック・フィルム等によって保護することにより、飲み口部への埃塵の進入や、開口操作具８への汚れの付着を防止して、圧力隔壁５及び開口操作具８が底部へ沈下した際の、内容物の汚濁、汚染等を発生させない。【００１６】  図２は圧力隔壁５に取り付けられた開口操作具８の操作によって、該隔壁の開口部７が開口した状態を示すものであって、この操作によって内圧が解放される。【００１７】  図３は該隔壁に対し、利用者の、例えば、指先等によって下方に圧力が加えられて微小突起１２を擦過し、以後、自重によって底部に沈下した状態を示している。【００１８】  図４は圧力隔壁５に設けられた開口部７と開口操作具８と固着具６の上面図であって、図５は同正面図である。この開口機構は既存技術である、いわゆるプルトップを圧力隔壁に採用してもよい。
【産業上の利用の可能性】
【００１９】  飲み口縁と圧力隔壁を分離して、飲み口縁は口唇にとって安全な形状に成形したものとし、加圧発泡性を有する内容物は、自身が有する圧力と圧力隔壁とによって密封、蓄蔵される。
本発明を、例えば、ビール缶として使用すれば、ジョッキと同じような豪快な飲み方を楽しむことが出来る。
【図面の簡単な説明】
【００２０】
【図１】本発明容器の実施例の断面図である。（実施例１）
【図２】圧力隔壁の開口部が開口した状態を示す断面図である。（実施例１）
【図３】圧力隔壁が底部に沈下した状態を示す断面図である。（実施例１）
【図４】圧力隔壁と圧力隔壁が備える開口部と開口操作具の上面図である。（実施例１）
【図５】圧力隔壁と圧力隔壁が備える開口部と開口操作具の正面図である。（実施例１）
【図６】飲み口部上部に防塵カバーを実施した例を示す断面図である。（実施例１）
【図７】円錐台状の圧力隔壁の下方を開口した例を示す断面図である。（実施例１）
【符号の説明】
【００２１】１  本体胴部
２  飲み口部
３  くびれ部肩
４  底板
５  圧力隔壁
６  固着具
７  開口部
８  開口操作具
９  飲み口縁
１０  底板接合部
１１  シール材
１２  微小突起
１３  防塵カバー
Ａ  飲み口縁の口径
Ｂ  底部の口径
【図１】
2005059943.tif 000003
【図２】
2005059943.tif 000004
【図３】
2005059943.tif 000005
【図４】
2005059943.tif 000006
【図５】
2005059943.tif 000007
【図６】
2005059943.tif 000008
【図７】
2005059943.tif 000009
【手続補正書】
【提出日】平成15年8月11日(2003.8.11)
【手続補正１】
【補正対象書類名】特許請求の範囲
【補正対象項目名】請求項１
【補正方法】変更
【補正の内容】
【請求項１】
全開口飲み口部と、
加圧発泡性飲料を密封、蓄蔵する胴部と、
前記全開口飲み口部と前記胴部の中間にあるくびれ部と、
底面に接合、固着した底板と、
内圧解放口とその開口を操作する開口操作具と中空円錐台状断面を有する圧力隔壁と、
前記圧力隔壁とくびれ部の肩の間隙にあって、肩部又は圧力隔壁接着されたシール材と、
胴部にあって内側への複数の微小突起と、
を備える全開口飲み口を実現する加圧発泡性飲料用缶容器。
【手続補正２】
【補正対象書類名】特許請求の範囲
【補正対象項目名】請求項３
【補正方法】変更
【補正の内容】
【請求項３】
請求項１記載の全開口飲み口を実現する発泡飲料用缶容器であって、内圧解放口とその開口を操作する開口操作具と中空円錐台状断面を有する圧力隔壁は、胴部に充填された内容物、すなわち、加圧発泡性飲料が発する内圧によって、くびれ部の肩に押圧され、開口操作具の操作による内圧解放口の開口と、開口に伴う内圧の解放によって底部に沈下するものであることを特徴とする全開口飲み口を実現する加圧発泡性飲料用缶容器。
【手続補正３】
【補正対象書類名】特許請求の範囲
【補正対象項目名】請求項４
【補正方法】変更
【補正の内容】
【請求項４】
請求項１記載の全開口飲み口を実現する発泡飲料用缶容器であって、圧力隔壁とくびれ部の肩の間隙にあって、肩部又は圧力隔壁に接着されたシール材は、くびれ部の肩と内圧によってくびれ部の肩に押圧されている圧力隔壁との気密性を保持するものであることを特徴とする全開口飲み口を実現する加圧発泡性飲料用缶容器。
【手続補正４】
【補正対象書類名】特許請求の範囲
【補正対象項目名】請求項５
【補正方法】変更
【補正の内容】
【請求項５】
請求項１記載の全開口飲み口を実現する発泡飲料用缶容器であって、胴部にあって内側へ向かう複数の微小突起は、圧力隔壁を一定の姿勢に保持し、内容物の充填工程中における脱落を防止するために、圧力隔壁の底面下部に相当する胴部に設けられたものであることを特徴とする全開口飲み口を実現する加圧発泡性飲料用缶容器。
【手続補正５】
【補正対象書類名】明細書
【補正対象項目名】０００５
【補正方法】変更
【補正の内容】
【０００５】  請求項１記載の発明は、全開口飲み口部と、
加圧発泡性飲料を密封、蓄蔵する胴部と、
前記全開口飲み口部と前記胴部の中間にあるくびれ部と、
底面に接合、固着した底板と、
内圧解放口とその開口を操作する開口操作具と中空円錐台状断面を有する圧力隔壁と、
前記圧力隔壁とくびれ部の肩の間隙にあって、肩部又は圧力隔壁に接着されたシール材と、
胴部にあって内側への複数の微小突起と、
を備えるよう構成される。
【手続補正６】
【補正対象書類名】明細書
【補正対象項目名】０００７
【補正方法】変更
【補正の内容】
【０００７】  請求項３記載の発明は、内圧解放口とその開口を操作する開口操作具と中空円錐台状断面を有する圧力隔壁は、胴部に充填された内容物、すなわち、加圧発泡性飲料が発する内圧によって、くびれ部の肩に押圧され、開口操作具の操作による内圧解放口の開口と、開口に伴う内圧の解放によって底部に沈下するものであるよう構成される。
【手続補正７】
【補正対象書類名】明細書
【補正対象項目名】０００８
【補正方法】変更
【補正の内容】
【０００８】  請求項４記載の発明は、圧力隔壁とくびれ部の肩の間隙にあって、肩部又は圧力隔壁に接着されたシール材は、くびれ部の肩と内圧によってくびれ部の肩に押圧されている圧力隔壁との気密性を保持するものであるよう構成される。
【手続補正８】
【補正対象書類名】明細書
【補正対象項目名】０００９
【補正方法】変更
【補正の内容】
【０００９】  請求項５記載の発明は、胴部にあって内側へ向かう複数の微小突起は、圧力隔壁を一定の姿勢に保持し、内容物の充填工程中における脱落を防止するために、圧力隔壁の底面下部に相当する胴部に設けられたものであるよう構成される。
【手続補正９】
【補正対象書類名】明細書
【補正対象項目名】００１５
【補正方法】変更
【補正の内容】
【００１５】  飲み口部２には図６の如く防塵カバー１３、例えば、適度な柔軟性を有するプラスチック・フィルム等によって保護することにより、飲み口部への塵埃の進入や、開口操作具８への汚れの付着を防止して、圧力隔壁５及び開口操作具８が底部へ沈下した際の、内容物の汚濁、汚染等を発生させない。
【手続補正書】
【提出日】平成15年8月26日(2003.8.26)
【手続補正１】
【補正対象書類名】明細書
【補正対象項目名】０００３
【補正方法】変更
【補正の内容】
【０００３】また、全開口にわたるプルトップ方式では、その開口部が鋭利になり、口唇の裂傷をまねく恐れがあり、分離した蓋部が危険物となったり、泡が一斉に外部にこぼれる状況が生まれやすい。
【特許文献１】特開２００２−１０４４２５号公報
【特許文献２】特開平１０−１２９６９５号公報
【特許文献３】実開平７−４３３２号公報